(57)【特許請求の範囲】
【請求項１】
船艙内の貨物倉からとり出されて前記船艙内の一個所に送られてくるばら物を上甲板の上方へ搬送する扛送用コンベヤと、これより埠頭の所定個所へ搬送する陸揚用コンベヤとを具え、前記陸揚用コンベヤは前記上甲板の上に旋回および起伏可能に支持させたブームに沿って設置されているとともに、前記扛送用コンベヤは前記ブームの旋回中心部分でばら物を前記陸揚用コンベヤに落下させ移しかえるように配置されているばら物運搬船の荷揚装置において；
前記ブームに設けられて前記陸揚用コンベヤを囲んだカバー体の前記旋回中心部分の天井がブーム長手方向への伸縮性を有する天井部片で形成されているとともに、前記天井部片はばら物通過用の開口を有しており、前記扛送用コンベヤを囲んだハウジングに連設されてばら物を前記ブームの旋回中心部分に誘導して前記陸揚用コンベヤに落下させるシュートが前記開口と互いに嵌まり合っている；
ことを特徴とするばら物運搬船の荷揚装置。
【請求項２】
前記天井部片が可撓のシート材で作られており、ブーム長手方向前後両端が固定されているとともに中央部に前記開口が設けられており、且つ前記開口の前後部分が波形に形成されて一方が伸長したときもう一方が収縮する構成とされている請求項１に記載したばら物運搬船の荷揚装置。
【請求項３】
前記天井部片は前記カバー体の両側に設けた案内レールに両側端縁を係合保持している請求項１，２のいずれかに記載したばら物運搬船の荷揚装置。
【請求項４】
前記天井部片は前記ブームの起伏中心軸線を中心とする円弧面に沿って湾曲している請求項１，２，３のいずれかに記載したばら物運搬船の荷揚装置。
【発明の詳細な説明】
【０００１】
【発明の属する技術分野】
本発明は不定形固体貨物であるばら物の運搬船に装備される荷揚装置、詳しくは貨物倉のばら物を船内の一個所から上甲板上方へ搬送する扛送用コンベヤと、これより埠頭の所定個所へ搬送する陸揚用コンベヤとの間のばら物移しかえ部分に特徴を有する荷揚装置に関するものである。
【０００２】
【従来の技術】
鉱石、石炭、石灰石、木材チップ、穀物、セメントなどの小塊、粒体、粉体からなる不定形固体貨物、即ちばら物を海上輸送するばら物運搬船の内で、主に沿海区域を航行するものは荷役設備が不完全な埠頭に接岸して荷揚げをしなければならないことが多い。
【０００３】
そのために、船艙内に形成した貨物倉のばら物を陸上に荷揚げする自動荷役設備をばら物運搬船に具えさせることが実開平２−３３１９６号公報に提示されており、このものは実用に供されている。
【０００４】
即ち、前記公報に記載され且つ現在実施されているばら物運搬船の自動荷役設備は、船艙に船体縦方向へ長いホッパ形状の貨物倉を形成し、その底からとり出したばら物を船艙長手方向へ延びる縦送用コンベヤによって船首側または船尾側の一個所へ送り、次にこれより上方へ延びる扛送用コンベヤによって上甲板の上方へ送り、更にこれより陸揚用コンベヤによって埠頭の所定個所に荷揚げする構成となっている。
【０００５】
前記の各コンベヤは一般にベルトコンベヤであり、貨物倉のばら物はその底から自然流下により或いは払出機を用いた掻出しにより縦送用コンベヤの上に落下する。扛送用コンベヤは一般に二本の無端ベルトを向かい合わせてばら物を封入状態で低所から高所へ搬送する周知の垂直ベルトコンベヤか、または船艙横方向へ配置した傾斜ベルトコンベヤである。
【０００６】
また、陸揚用コンベヤは上甲板の上に片持ち式に支持したブームに沿って設置されており、このブームは荷役作業時に船体外側方へ突出させるが、それ以外は上甲床の上に船体とほぼ平行に位置させるように旋回可能となっている。加えて、潮位や吃水深さによって上甲板と埠頭との高低差が大きく変化するので、荷揚げを確実に行なわせるためブームは起伏可能となっている。
【０００７】
【発明が解決しようとする課題】
陸揚用コンベヤを設置したブームの旋回中心と起伏中心とは直交しており、扛送用コンベヤは旋回中心部分でばら物を陸揚用コンベヤに落下させ移しかえるように配置されている。
【０００８】
前記の縦送用コンベヤから扛送用コンベヤへの移しかえ、および扛送用コンベヤから陸揚用コンベヤへの移しかえは、それぞれのコンベヤの送出端から次のコンベヤの送入端へ落下させることによって行なわれ、その際にばら物によっては大量の粉塵を発生する。
【０００９】
縦送用コンベヤおよび扛送用コンベヤは回動や起伏をしないので、それらの間の移しかえ部分をハウジングに内蔵することにより粉塵の飛散による環境の悪化を容易に防止することができる。
【００１０】
しかしながら、扛送用コンベヤと陸揚用コンベヤとの間の移しかえ部分については、陸揚用コンベヤがブームと一体に回動および起伏をするので、扛送用コンベヤの少なくとも上甲板の上方部分を内蔵したハウジングに連設されてこれより送出されたばら物を陸揚用コンベヤの旋回中心部分に誘導して落下させるシュートと、陸揚用コンベヤを囲んだカバー体とを分離した構造とし、且つカバー体の天井部分に旋回中心の前後に亘るかなり長い開口を設け、起伏してもシュートが常に開口に臨んでおり、移しかえを支障なく行なわせる構成としている。
【００１１】
従って、粉塵が開口から大気中に飛散して風向きなどの気象条件によっては周囲の環境を広範囲に悪化することがあった。
【００１２】
本発明はばら物運搬船の自動荷役設備、殊に船艙内の一個所に送られてくるばら物を上甲板の上方へ搬送する扛送用コンベヤと、これより埠頭の所定個所へ搬送する陸揚用コンベヤとを具えた荷揚装置において、これらの間でばら物が移しかえられる際に、粉塵が大気中に飛散して周囲の環境を悪化する、という前記課題を解決し、陸揚用コンベヤを設置したブームの姿勢にかかわりなく粉塵の飛散を防止することができるようにすることを目的とする。
【００１３】
【課題を解決するための手段】
本発明にあっては、船艙内の貨物倉からとり出されて船艙内の一個所に送られてくるばら物を上甲板の上方へ搬送する扛送用コンベヤと、これより埠頭の所定個所へ搬送する陸揚用コンベヤとを具え、陸揚用コンベヤは上甲板の上に旋回および起伏可能に支持させたブームに沿って設置されているとともに、扛送用コンベヤはブームの旋回中心部分でばら物を陸揚用コンベヤに落下させ移しかえるように配置されているばら物運搬船の荷揚装置について、次のようにして前記課題を解決した。
【００１４】
即ち、ブームに設けられて陸揚用コンベヤを囲んだカバー体の旋回中心部分の天井をブーム長手方向への伸縮性を有する天井部片で形成するとともに、この天井部片にばら物通過用の開口を設け、扛送用コンベヤを囲んだハウジングに連設されてばら物をブームの旋回中心部分に誘導して陸揚用コンベヤに落下させるシュートを開口と互いに嵌め合わせたものとした。
【００１５】
シュートの下端部はブームの旋回中心上に位置し、従って開口も同じ中心上に位置しているので、ブームを任意に旋回させることができる。また、ブームを起伏させたとき、開口と互いに嵌まり合ったシュートが開口を一定位置に保持するストッパとして働き、天井部片が起伏に応じて伸縮する。このため、ばら物は常にカバー体に包まれた空間内でシュートから放出されて陸揚用コンベヤに落下し、粉塵を周囲に飛散させることが防止されるものである。
【００１６】
前記において、第一に天井部片を可撓のシート材で作り、ブーム長手方向前後両端を固定するとともに中央部に開口を設け、そして開口の前後部分を波形に形成して一方が伸長したときもう一方が収縮する構成とした場合、第二に天井部片の両側端縁をカバー体の両側に設けた案内レールに係合保持させた構成とした場合、第三に天井部片をブームの起伏中心軸線を中心とする円弧面に沿って湾曲させた構成とした場合は、開口を一定位置に保持したままブームの大きな起伏に追従して天井部片を円滑に伸縮させることができる。
【００１７】
【発明の実施の形態】
図面を参照して本発明の実施の形態を説明する。図１は本発明に係る荷揚装置を装備したばら物運搬船の概略を示した図であって、船体１の船首近くから船尾近くに亘って船体縦方向へ長く延びる船艙２の内部に貨物倉３が設けられている。この貨物倉３は単一であって、底の部分に互いに向かい合った傾斜部およびそれらの間の最も低い個所に形成された平坦部を有する船体縦方向へ長いホッパ形状とされ、船艙２のほぼ全長に亘って延びている。
【００１８】
平坦部は貨物倉３の長手方向全長に亘って連続したスリット状の取出口４を有しており、前記実開平２−３３１９６号公報などに記載されている広く知られた払出機６が平坦部の上面に接近して配備されている。この払出機６を貨物倉３の長手方向全長に亘って往復走行させることにより、その回転ホイール６ａが貨物倉３のばら物を最下層のものから順次掻き寄せて取出口４から落下させる。
【００１９】
取出口４の下方には、その長手方向に沿ってベルトコンベヤからなる縦送用コンベヤ７が設置されており、取出口４から落下してくるばら物を受取って図示形態のものでは船首方向へ搬送し、船艙２の貨物倉３前方に形成されている空室内から上甲板５の上方へ延びる垂直または急傾斜の扛送用コンベヤ８にばら物を移しかえる。
【００２０】
扛送用コンベヤ８は二本の無端ベルト８ａ，８ｂを向かい合わせてばら物を封入状態で低所から高所へ搬送する、一般には垂直ベルトコンベヤとして広く知られているものと同じ構造である。そして、図１，図２を参照して、この扛送用コンベヤ８の上甲板５から上方へ延びる部分はハウジング９に内蔵されており、無端ベルト８ａ，８ｂの上端における反転個所、即ち送出端８ｃから放出されたばら物を所定個所へ落下させるシュート１０がハウジング９に連設されている。
【００２１】
シュート１０の下方に位置させて旋回台１１が配置されており、この旋回台１１は上甲板５に設置した基台１２に内蔵されている原動機によって回転させられる。また、シュート１０の放出口１０ａの中心と旋回台１１の旋回中心とは同一線上に位置している。
【００２２】
旋回台１１はその旋回中心線と直交させて支軸１３を支持しており、この支軸１３は陸揚用コンベヤ１４を設置したブーム１５の基端部に取付けられている。陸揚用コンベヤ１４はベルトコンベヤであって、ブーム１５の全長に亘って延びている。
【００２３】
ブーム１５は陸揚用コンベヤ１４のプーリーやローラおよび原動機などを支持した桁部材１６と、陸揚用コンベヤ１５を囲んで桁部材１６に組付けられたカバー体１７とを具えており、旋回台１１と一体に旋回して上甲板５の上方に船体１と平行な方向に位置し、或いは船体１の外側方任意方向へ突出する。また、このブーム１５は図示しない流体圧シリンダまたはワイヤロープに結合されていて、これらを操作することにより支軸１３を中心に回動し起伏する。
【００２４】
カバー体１７の天井１７ａの内でブーム１５の旋回中心線から前後へ向かう或る区間、即ち旋回中心部分がブーム長手方向への伸縮性を有する天井部片１８で構成されている。この天井部片１８はブーム横断方向へ延びる多数本の棧部材１９を中央部を除いて互いに平行に配置し、帆布またはゴムなどからなる可撓のシート材２０を棧部材１９に固結するとともに、各棧部材１９の間でゆるみをもたせ波形としたものであって、中央部分には開口２１を形成する円環状の枠片２１ａが固着されている。
【００２５】
また、天井部片１８が延在する領域において、カバー体１７の左右の側壁に端面コ形の案内レール２２が取付けられており、棧部材１９の両端に装着したすべりのよい耐摩性のライナ２３が案内レール２２に嵌入係合している。天井部片１８の前端および後端は天井１７ａおよび案内レール２２にそれぞれ固着され、カバー体１７の後端は後壁１７ｃによって塞がれている。
【００２６】
図示の形態によると、天井部片１８はブーム１５の起伏中心である支軸１３の中心軸線を中心とする円弧面に沿って湾曲しており、ブーム１５が水平状態のとき開口２１はその中心を旋回中心と一致させて円弧面の頂部に位置している。そして、シュート１０の下端は枠片２１ａに少しの隙間を有して嵌め込まれ、放出口１０ａはカバー体１７の内で陸揚用コンベヤ１４に向かって下向きに開口している。
【００２７】
ブーム１５を支軸１３を中心に回動させて仰起、即ち先端を水平時よりも上方へ移動させたとき、天井部片１８はブーム１５の旋回中心軸線の後方へ向かってずれる。しかし、図５（Ａ）に示したように、シュート１０に枠片２１ａが当たってシート材２０の枠体２１ａ前方部分は波間隔が狭くなって収縮し、後方部分は波間隔が広くなって伸長することにより、予め設定した最大仰起位置まで円滑に回動させることができる。
【００２８】
反対に、先端を水平時よりも下方へ移動させたとき、即ち倒伏させたときは天井部片１８はブーム１５の旋回中心軸線の前方へ向かってずれる。このときも図５（Ｂ）に示したように、シュート１０に枠片２１ａが当たってシート材２０の枠体２１ａ前方部分は波間隔が広くなって伸長し、後方部分は波間隔が狭くなって収縮することにより、予め設定した最大倒伏位置まで円滑に回動させることができる。
【００２９】
前記のようにブーム１５を起伏させたとき、シュート１０は旋回中心軸線上においてカバー体１７の内部に差込まれており、常にカバー体１７に包まれた空間内でばら物を放出し陸揚用コンベヤ１４に落下させる。
【００３０】
天井部片１８は多数の細長い板片を屈曲可能に連結して各板片の中間部を案内に沿って移動させる、というよく知られている折りたたみ戸と同様の構造とすることができる。また、円弧面に沿って配置することなく平面に沿って配置することもできる。しかし、図示形態のようにすると、大きな起伏角度に円滑に対応できるとともに、粉塵を外部に飛散させる隙間を最小限とすることができる、という利点がある。
【００３１】
【発明の効果】
以上のように、本発明によると上甲板の上方で行なわれる扛送用コンベヤから陸揚用コンベヤのばら物の移しかえが、ブームの姿勢に関係なく常にカバー体に包まれた空間内で行なわれ、粉塵が大気中に広く飛散することがなくなって周囲の環境を良好に維持することができるものである。
【図面の簡単な説明】
【図１】本発明を適用したばら物運搬船の縦断面概略図。
【図２】本発明の実施の形態を示す図１の拡大部分図。
【図３】図２を更に拡大した縦断面部分図。
【図４】図３の横断面図。
【図５】図２，図３，図４に示した形態の動作説明図。
【符号の説明】
２  船艙，  ３  貨物倉，  ７  縦送用コンベヤ，  ８  扛送用コンベヤ，  ９  ハウジング，  １０  シュート，  １１  旋回台，  １３  支軸，  １４  陸揚用コンベヤ，  １５  ブーム，  １７  カバー体，  １７ａ  天井，  １８天井部片，  ２１  開口，  ２２  案内レール，
【図１】
0003987189.tif 000002
【図２】
0003987189.tif 000003
【図３】
0003987189.tif 000004
【図４】
0003987189.tif 000005
【図５】
0003987189.tif 000006